(57)【要約】【課題】食器類を収容するだけでなく包装容器を逆さにした状態で安定して支持可能であり、しかも、包装容器用の支持部が食器類の収容の邪魔にならない水切りカゴを提供する。【解決手段】水切り用の開口３０を有する底部２２と、この底部２２の周囲から上方へ立ち上がる周壁部２４とを備え、内部に食器類を収容可能な水切りカゴ２である。水切りカゴ２は、上方へ向けて延びるとともに、下向きとされた紙パック６０の開口に挿入されることによって紙パック６０を支持可能な支持部５６を備え、この支持部５６が周壁部２４の一部を構成している。【選択図】  図２
2010201116.tif 000002
【特許請求の範囲】
【請求項１】
水切り用の開口を有する底部と、この底部の周囲から上方へ立ち上がる周壁部とを備え、内部に食器類を収容可能な水切りカゴであって、
上方へ向けて延びるとともに、下向きとされた箱型の包装容器の開口に挿入されることによって当該包装容器を支持可能な支持部を備え、この支持部が周壁部の一部を構成していることを特徴とする水切りカゴ。
【請求項２】
前記周壁部が、その上端縁を形成する上枠部材を備えており、
前記支持部の上端が、上枠部材の下方に離隔距離を設けて配置されていることを特徴とする請求項１に記載の水切りカゴ。
【請求項３】
前記周壁部が、その上端縁を形成する上枠部材を備えており、
さらに、前記周壁部が、前記底部から前記上枠部材に到る高さまで上方へ延びるとともに、その上端が前記上枠部材に連結された第１の壁部要素と、前記支持部を構成するとともに、前記底部から前記上枠部材に到らない高さまで上方へ延び、その上端が前記上枠部材の下方に離隔距離を設けて配置された第２の壁部要素とを含むことを特徴とする請求項１に記載の水切りカゴ。
【請求項４】
前記周壁部が、互いに対向する一対の壁部を備えており、前記支持部が一対の壁部の双方に形成されている請求項１〜３のいずれか１つに記載の水切りカゴ。
【請求項５】
前記底部は、前記支持部が挿入された前記包装容器の下端部外面に対して当該水切りカゴの内側から係合する係合部を備えている請求項１〜４のいずれか１つに記載の水切りカゴ。
【請求項６】
前記水切り用の開口が、ボトル型の包装容器の口部を挿入可能であり、当該包装容器の本体部を挿入不能な大きさに形成されている請求項１〜５のいずれか１つに記載の水切りカゴ。
【請求項７】
上部に天板を有するキャビネット本体と、前記天板に設けられたシンクと、このシンク内に設けられた請求項１〜６のいずれかに記載の水切りカゴとを備えていることを特徴とするキャビネット。
【発明の詳細な説明】
【技術分野】
【０００１】
本発明は、水切りカゴ、およびこれを備えたキャビネットに関するものである。
【背景技術】
【０００２】
食品を消費した後に発生する特定の包装容器、例えば飲料用の紙パックやペットボトルは再生資源として利用可能であるため、廃棄物減量等の観点からリサイクル対象品として取り扱われている。そのため、消費者には、当該包装容器を洗浄したうえで所定の分別ルールに従って排出することが求められている。
【０００３】
一方、一般家庭等において、食事に利用される食器類は、洗浄した直後にシンク内又はシンク周りに設置された水切りカゴに一時的に収容されることが多い。したがって、紙パック等の包装容器についても洗浄後に水切りカゴに収容し、乾燥させる場合がある。
紙パック等の包装容器を内部まで乾燥させるには、当該包装容器を逆さにして飲み口等の開口を下側に向け、内部に残留した水分を流下させることが効果的である。しかし、紙パック等の包装容器を逆さにすると安定性が悪くなるので、水切りカゴに収容したとしてもその姿勢を維持するのが困難である。
【０００４】
下記特許文献１には、包装容器を逆さにした状態でも安定して支持することが可能な水切り乾燥具が開示されている。この水切り乾燥具は、水切り孔を有するプレート部に複数本の突起棒を立設し、この突起棒を包装容器の開口に挿入しつつ当該包装容器をプレート部上に逆さにして立てるようにしている。
【先行技術文献】
【特許文献】
【０００５】
【特許文献１】特開２００２−１７６４９号公報
【発明の概要】
【発明が解決しようとする課題】
【０００６】
特許文献１に記載の水切り乾燥具は、プレート部上に突起棒を立設しているので、包装容器以外の食器類、例えば皿や茶碗等を収容する場合に突起棒が邪魔になる。すなわち、当該水切り乾燥具は、紙パックやペットボトルなどの包装容器を乾燥させる用途に特化されており、食器類を収容することは想定されていない。したがって、この水切り乾燥具とは別に、食器専用の水切りカゴが必要となり、両者を設置するとシンク周りの限られたスペースが大きく侵食される。
【０００７】
一方、紙パック等の包装容器を排出しない消費者やリサイクルのために包装容器の洗浄を行わない消費者にとっては、特許文献１の水切り乾燥具は不要であり、食器専用の水切りカゴを備えていれば十分である。
【０００８】
本発明は、このような問題を解決するためになされたもので、その目的は、食器類を収容するだけでなく包装容器を逆さにした状態で安定して支持可能であり、しかも、包装容器用の支持部が食器類の収容の邪魔にならず、食器専用の水切りカゴと同等の使用が可能な水切りカゴおよびこれを備えたキャビネットを提供することである。
【課題を解決するための手段】
【０００９】
本発明（請求項１）は、水切り用の開口を有する底部と、この底部の周囲から上方へ立ち上がる周壁部とを備え、内部に食器類を収容可能な水切りカゴであって、上方へ向けて延びるとともに、下向きとされた箱型の包装容器の開口に挿入されることによって当該容器を支持可能な支持部を備え、この支持部が周壁部の一部を構成していることを特徴とする。
本発明の水切りカゴは、紙パック等の箱型の包装容器内に支持部を挿入することによって当該包装容器を逆さにした状態で安定して支持することができる。また、包装容器を支持可能な支持部が周壁部の一部を構成しているので、当該支持部は水切りカゴ内に突出せず、食器類の収納の邪魔になることもない。そのため、本発明の水切りカゴを包装容器の乾燥のために使用しない場合には、一般の水切りカゴと同様に使用することができる。
なお、包装容器としては、例えば、紙や合成樹脂を用いて形成された飲料用の紙パック（牛乳パック等）が挙げられる。
【００１０】
また、本発明（請求項２）は、周壁部が、その上端縁を形成する上枠部材を備えており、支持部の上端が、上枠部材の下方に離隔距離を設けて配置されていることを特徴とする。
この構成によれば、包装容器の一側壁を上枠部材と支持部との間に挿入した状態で包装容器内に支持部を挿入することによって、支持部だけでなく上枠部材によっても包装容器を支持することが可能であり、特に上枠部材により包装容器を外側から支持することによって包装容器が水切りカゴの外側へ倒れてしまうのを防止することが可能となる（例えば、図５参照）。
【００１１】
また、本発明（請求項３）は、周壁部が、その上端縁を形成する上枠部材を備えており、さらに周壁部が、底部から上枠部材に到る高さまで上方へ延びるとともに、その上端が上枠部材に連結された第１の壁部要素と、支持部を構成するとともに、底部から前記上枠部材に到らない高さまで上方へ延び、その上端が上枠部材の下方に離隔距離を設けて配置された第２の壁部要素とを含むことを特徴とする。この構成によれば、周壁部を構成する第１，第２の壁部要素のうち、第２の壁部要素は上枠部材に連結されていないが、第１の壁部要素は上端が上枠部材に連結されているので、この第１の壁部要素によって周壁部の強度を十分に維持することができる。なお、周壁部の強度維持の観点からは、第２の壁部要素の両側に第１の壁部要素が並設されていることがより好ましい。
また、上記と同様に、包装容器の一側壁を上枠部材と第２の壁部要素（支持部）との間に挿入することによって第２の壁部要素だけでなく上枠部材によっても包装容器を支持することが可能であり、特に上枠部材によって包装容器を外側から支持することによって包装容器が水切りカゴの外側へ倒れてしまうのを防止することが可能となる（例えば、図５参照）。
【００１２】
また、本発明（請求項４）は、周壁部が、互いに対向する一対の壁部を備えており、支持部が一対の壁部の双方に形成されていることを特徴とする。この構成によれば、一対の壁部のどちらによっても包装容器を支持することができる。したがって、水切りカゴに収容した他の食器類等との位置関係を考慮して一対の壁部の支持部のうち適切なものを選択して使用することができる。
【００１３】
また、本発明（請求項５）は、前記底部が、前記支持部が挿入された前記包装容器の下端部外面に対して当該水切りカゴの内側から係合する係合部を備えていることを特徴とする。このような係合部を備えることによって、より安定して包装容器を支持することができる。
【００１４】
また、本発明（請求項６）は、水切り用の開口が、ボトル型の包装容器の口部を挿入可能であり、当該ボトル型の包装容器の本体部を挿入不可能な大きさに形成されていることを特徴とする。この構成によって、ペットボトル等のボトル型の包装容器を逆さにした状態で支持することができる。
【００１５】
本発明のキャビネット（請求項７）は、上部に天板を有するキャビネット本体と、天板に設けられたシンクと、このシンク内に設けられた上述の水切りカゴとを備えていることを特徴とする。
【発明の効果】
【００１６】
本発明の水切りカゴは、包装容器を逆さにした状態で安定して支持可能であり、支持部が食器類の収容の邪魔になることもない。
【図面の簡単な説明】
【００１７】
【図１】本発明の第１の実施形態に係る水切りカゴを備えたキャビネットを示す斜視図である。
【図２】水切りカゴを示す斜視図である。
【図３】水切りカゴによって紙パックおよびペットボトルを支持した状態を示す斜視図である。
【図４】水切りカゴの右壁部を内側からみた拡大側面図である。
【図５】図４のＡ−Ａ矢視断面図であって紙パックを支持した状態を説明する図である。
【図６】他の態様で紙パックを支持した場合の図５に相当する断面図である。
【図７】ペットボトルを支持した状態を示す断面図である。
【図８】第２の実施形態に係る水切りカゴを示す斜視図である。
【発明を実施するための形態】
【００１８】
次に本発明を実施するための形態について図面を参照して説明する。
図１は、本発明の第１の実施形態に係る水切りカゴを備えたキャビネットを示す斜視図であり、図２は水切りカゴを示す斜視図である。
図１において、キャビネット１０は、上部にカウンター（天板）１８ａを備えるとともに、内部に収納空間を備えたキャビネット本体１８と、カウンター１８ａに取り付けられたシンク１４及び加熱調理器１６と、シンク１４に取り付けられた水切りカゴ２とを備えている。また、キャビネット本体１８は、内部の収容空間を開閉するための開き戸２１や、物品を収納する抽斗２０を備えている。この抽斗２０は、前後に移動することができ、鍋やフライパン等の調理器具を収納することができる。なお、使用者がキャビネット１０の正面に立った状態で、当該使用者が立つ側が前であり、キャビネット１０の奥側が後である。
【００１９】
シンク１４内部における左右方向の端部（図１の例では右端部）には、水切りカゴ２が着脱可能に取り付けられている。図２に示すように、水切りカゴ２は、平面視で左右方向（矢印Ｙ方向）の長さよりも前後方向（矢印Ｘ方向）の長さが長い略長方形状であり、底部２２と、この底部２２の周囲から上方へ立ち上がる周壁部２４とを備えている。底部２２および周壁部２４はステンレス製の複数の棒材を互いに接合することによって構成されている。
【００２０】
より具体的には、水切りカゴ２の底部２２は、前後方向に沿って延びる複数本の第１の棒材２６，２６ａと、左右方向に沿って延びる複数本の第２の棒材２８とが直交した状態で接合されることによって網状に形成されている。この第１の棒材２６，２６ａと第２の棒材２８とによって水切り用開口３０が区画されている。
【００２１】
一方、周壁部２４は、前壁部３２および後壁部３４と、右壁部３８および左壁部３６とを有している。前壁部３２および後壁部３４は、左右両端を除く４本の第１の棒材２６の前後端をそれぞれ上方に屈曲することによって構成されている。左右両端の第１の棒材２６ａは、上方へ屈曲されることなく底部２２の前後端位置において止められている。また、左右両端の第１の棒材２６ａの前後端部付近には、下方へコの字状に突出する脚部４０が屈曲形成されている。この脚部４０は、キャビネット本体１８のカウンター１８ａ上等に水切りカゴ２を載置したときの接地部分となる。
【００２２】
右壁部３８および左壁部３６は、第２の棒材２８の左右端を上方に屈曲することによって構成されている。したがって、底部２２、前後壁部３２，３４、および左右壁部３６，３８は、側面視および正面視において略コの字状に屈曲された第１の棒材２６および第２の棒材２８によって組み合わせることによって主に構成されている。前後壁部３２，３４と左右壁部３６，３８の上端には、これらの上端縁を構成する上枠部材４６が接合されている。上枠部材４６は、平面視略長方形の環状部材である。
【００２３】
水切りカゴ２の前後両側には、シンク１４の前後の縁部に載置される載置部４８が設けられている。この載置部４８は、平面視で略コの字状に形成されており、上枠部材４６の前後端部における左右両側から前後方向外側に延びる第１の部分５０と、左右両側の第１の部分５０を接続するように左右方向に延びる第２の部分５１とを備えている。また、第１の部分５０において、第２の部分５１との接続端部とは反対側の端部は下方に屈曲されて延びており、この下方に延びる部分５２が前後壁部３２，３４の両端部を構成している。
【００２４】
左右壁部３６，３８についてさらに詳細に説明する。左右壁部３６，３８を構成する第２の棒材２８は、前後端に配置されたものを除き、前後方向に関して交互に小ピッチＰ１と大ピッチＰ２との２種類のピッチで配置されている。さらに、これらの第２の棒材２８のうち、小ピッチＰ１で配置された２本の第２の棒材２８が１組となって１つの壁部要素を構成し、この複数の壁部要素５４，５６が大ピッチＰ２で前後方向に面一状に並設されている。
【００２５】
壁部要素５４，５６は、底部２２から上方に延びるとともにその上端が上枠部材４６に接合された第１の壁部要素５４と、底部２２から上方に延びているが、その上端が上枠部材４６に到らない高さの第２の壁部要素５６とを含んでいる。第２の壁部要素５６の上端と上枠部材４６との間には間隔（離隔距離）Ｔが設けられている。また、第２の壁部要素５６を構成する２本の第２の棒材２８は、上端が互いに連結部５８によって連結されている。連結部５８は、上方に凸となる円弧状に形成されており、これによって第２の壁部要素５６の上端が先細り形状に形成されている。  
【００２６】
左右一方の壁部３６，３８において、第１の壁部要素５４を構成している第２の棒材２８は左右他方の壁部３６，３８においても第１の壁部要素５４を構成している。また、左右一方の壁部３６，３８において第２の壁部要素５６を構成している第２の棒材２８は、左右他方の壁部３６，３８においても第２の壁部要素５６を構成している。したがって、左右壁部３６，３８の第１，第２の壁部要素５４，５６は、それぞれ互いに左右方向に対向して配置されている。
【００２７】
図３に示すように、本実施形態の水切りカゴ２は、牛乳やジュース等の飲料用の紙パック６０やペットボトル６２を逆さにした状態で支持する機能を有している。図３は、水切りカゴ２によって紙パック６０およびペットボトル６２を支持した状態を示す斜視図である。紙パック６０は略六面体形状の箱型の容器であり、例えば１リットル用または５００ミリリットル用等のものがある。また、一般に紙パック６０の上端部には注ぎ口を形成するための開封部が設けられているが、本実施形態ではこの開封部を完全に開くことによって上端部（逆さにした場合は下端部）に矩形状の開口６４を形成したものとしている。紙パック６０は紙の内外面をポリエチレン等の合成樹脂層で覆った多層構造に形成されている。
【００２８】
まず、水切りカゴ２による紙パック６０の支持機能について説明する。図４は、水切りカゴ２の右壁部３８を内側からみた拡大側面図であり、図５は、図４のＡ−Ａ矢視断面図であって紙パック６０を支持した状態を説明する図である。図４に示すように、水切りカゴ２の第２の壁部要素５６の先端は、上枠部材４６の下方に間隔Ｔをもって配置されている。また、第２の壁部要素５６の両側に配置された第１の壁部要素５４の間隔Ｐ３は、紙パック６０の幅Ｗよりも広く形成されている。そして、紙パック６０を逆さにした状態で支持するには、図５に示すように、紙パック６０の一側壁６６の下端６６ａ（開口縁）を水切りカゴ２の内側から間隔Ｔに挿入しつつ第２の壁部要素５６を紙パック６０内に挿入し、紙パック６０の下端を底部２２上に載せる。紙パック６０の一側壁６６は、上枠部材４６と第２の壁部要素５６との間に挟まれ、特に第２の壁部要素５６によって水切りカゴ２の内側（図５の左側）へ倒れないように紙パック６０が支持される。したがって、本実施形態の第２の壁部要素５６は、逆さにした状態の紙パック６０を支持する支持部を構成している。また、紙パック６０は、上枠部材４６によって水切りカゴ２の外側（図５の右側）にも倒れないように支持される。
【００２９】
また、本実施形態の水切りカゴ２は、図６に示す態様で紙パック６０を支持することも可能である。この態様では、紙パック６０の一側壁６６の下端６６ａ（開口縁）を水切りカゴ２の外側から間隔Ｔに挿入しつつ第２の壁部要素５６を紙パック６０内に挿入し、紙パック６０の一側壁６６を底部２２上に載せることによって紙パック６０を逆さの状態で支持している。紙パック６０の一側壁６６の下端６６ａは、底部２２を構成する左右端部の１本の第１の棒材（係合部）２６ａに係合されている。これにより、紙パック６０が水切りカゴ２の外側へ大きく傾くことが防止されている。なお、一側壁６６の下端６６ａを第１の棒材（係合部）２６ａに係合させない場合であっても、第２の壁部要素５６によって紙パック６０を支持することは可能である。
【００３０】
以上のように水切りカゴ２は、左右壁部３６，３８の外側と内側の双方において紙パック６０を支持可能であるが、図３および図５に示すように、水切りカゴ２内で紙パック６０を支持した場合には、当該紙パック６０が水切りカゴ２から外側にほとんど突出することがないので、シンク１４のスペースを広く使うことができる。また、図６に示すように水切りカゴ２の外側で紙パック６０を支持した場合には、水切りカゴ２の内部のスペースを広くすることができ、他の食器類等をより多く収容することができる。さらに、図６に示す態様では、水切りカゴ２内に他の食器類が有るか否かに拘わらず、紙パック６０を支持することができる。また、紙パック６０の内部の洗浄が不十分であると、紙パック６０の内部に飲料等の成分を含む水分が残存する可能性があるが、図６に示す態様で紙パック６０を支持した場合には、紙パック６０内の水分が下方に流下しても底部２２上に付着することはほとんどなく、直接シンク１４に流れるようになっている。したがって、当該水分によって水切りカゴ２の底部２２が汚れてしまうことはほとんどない。
【００３１】
次に、水切りカゴ２によるペットボトル６２の支持機能について図３及び図７を参照して説明する。ペットボトル６２は、口部６２ａの外径が本体部６２ｂの外径よりも小さく形成されている。そして、図３に示すように、水切りカゴ２の底部２２に形成された複数の水切り用開口３０のうち、開口面積が大きいものは、ペットボトル６２の口部６２ａを挿入可能であり、かつペットボトル６２の本体部６２ｂを挿入不能な大きさに形成されている。したがって、図７に示すように、水切り用開口３０に対してペットボトル６２の口部６２ａを上方から挿入し、ペットボトル６２の本体部６２ｂを底部２２上に載せることによって、ペットボトル６２を逆さにした状態で支持することが可能となっている。
【００３２】
ペットボトル６２の内部の洗浄が不十分であると、ペットボトル６２の内部に飲料等の成分を含む水分が残存する可能性があるが、ペットボトル６２の口部６２ａの下端は、水切りカゴ２の底部２２よりも下方に位置しているので、ペットボトル６２の内部に残った水分が口部６２ａから流下しても底部２２上に付着することはなく、直接シンク１４に流れる。したがって、当該水分によって水切りカゴ２の底部２２が汚れてしまうことはない。
【００３３】
以上説明したように本実施形態の水切りカゴ２は、紙パック６０を支持するための支持部（第２の壁部要素）５６を備えているので、逆さにした状態の紙パック６０を安定して支持することができる。また、支持部は、水切りカゴ２の第２の壁部要素５６によって構成されているので、水切りカゴ２の内部に突出することがなく、他の食器類を水切りカゴ２内に収容する際に邪魔になるようなこともない。したがって、紙パック６０の支持機能を備えない一般的な水切りカゴと同様の使用感で本実施形態の水切りカゴ２を使用することができる。
【００３４】
また、紙パック６０用の支持部（第２の壁部要素）５６は、左右両側の壁部３６，３８に設けられているので、水切りカゴ２に収容する他の食器類等との位置関係を考慮して適切な支持部５６を選択して使用することができる。
【００３５】
本実施形態の水切りカゴ２は、その上端縁を形成する環状の上枠部材４６を備えているので、上部側の強度（保形強度）を高めることができる。また、より高さの低い第２の壁部要素５６の上方に上枠部材４６が存在しているので、水切りカゴ２に収容した食器類等が第２の壁部要素５６の上を超えて外側に落ちてしまうのを防止することができる。
【００３６】
また、左右の壁部３６，３８は、上端が上枠部材４６に接合されずに自由端とされた第２の壁部要素５６を含んでいるが、この第２の壁部要素５６の前後両側には、上枠部材４６に接合された第１の壁部要素５４が配置されているので、左右壁部３６，３８の強度を十分に確保することができる。
【００３７】
図８は、本発明の第２の実施形態に係る水切りカゴを示す斜視図である。本実施形態の水切りカゴ２は、主に、周壁部２２を構成する左右壁部３６，３８の構造、シンク１４の前後縁部に載置される載置部４８の構成部品の構造、および上枠部材４６の構造が第１の実施形態と異なり、その他の構成は第１の実施形態と概ね同様である。
【００３８】
以下、相違点について説明する。前述の第１の実施形態では、２本の第２の棒材２８を一組として１つの第１の壁部要素５４が構成されていたが（図２参照）、本実施形態では、１本の第２の棒材２８によって１つの第１の壁部要素５４が構成されている。また、各第２の棒材２８は、前後方向に略等ピッチＰ４で配置されており、そのために第２の壁部要素５６の前後方向の幅が、第１の実施形態に比べて大きく形成されている。
【００３９】
また、載置部４８の左右両側から下方に延びる部分５２の下端部は、左右方向に沿って配置された第３の部分５３によって互いに連結され、これによって載置部４８が環状の枠部材の一部によって構成されている。そして、本実施形態の水切りカゴ２の底部２２は、第３の部分５３によって下側から支持されている。
また、本実施形態の上枠部材４６は、前後端部が円弧状に湾曲され、全体として平面視で長円形状に形成されている。
【００４０】
本実施形態では、第１の実施形態に比べて第２の棒材２８が本数が減量されており、これによって水切りカゴ２の軽量化および低廉化が図られている。また、水切りカゴ２の底部２２は、載置部４８の構成部品によって下側から支持されるので、シンク１４の前後縁部に載置部４８を載置したときの水切りカゴ２の支持強度を高めることができる。
なお、以上に説明した本実施形態の相違点のうち、いずれかの構成を第１の実施形態にも採用しても良い。
【００４１】
本発明は上述の実施形態に限定されることなく適宜設計変更可能である。
例えば、図２に示すように、左右一方の壁部３６，３８において第２の壁部要素５６を構成している第２の棒材２８は、左右他方の壁部３６，３８においては第１の壁部要素５４を構成していてもよい。また、左右一方の壁部３６，３８において第１の壁部要素５４を構成している第２の棒材２８は、左右他方の壁部３６，３８においては第２の壁部要素５６を構成していてもよい。
【００４２】
第２の壁部要素５６は、左右各壁部３６，３８に２つずつ設けられているが１つ又は３つ以上設けられていてもよく、左右片側の壁部３６，３８のみに形成されていてもよい。また、左右の壁部３６，３８は、第２の壁部要素５６のみによって構成されていてもよい。
ペットボトル６２の口部６２ａを挿入可能な水切り用開口３０ａは、底部２２の少なくとも一箇所に形成されていればよい。
【００４３】
本発明の水切りカゴ２は、シンク１４内に配置することができるように載置部４８を備えているが、載置部４８を備えず、キャビネット本体１８のカウンター１８ａ上等に載置して使用するものであってもよい。また、水切りカゴ２は、ステンレスの棒材を組み合わせることによって網状に形成されているが、合成樹脂材等によって外面がコーティングされた鉄製の棒材を組み合わせることによって網状に形成されたものや、合成樹脂材によって網状に成形されたものであってもよい。
【００４４】
紙パック６０は、上端の開封部を完全に矩形状に開いた状態でなくてもよく、注ぎ口を形成した状態であっても第２の壁部要素５６を挿入することによって支持することができる。また、第２の壁部要素５６は、飲料用の紙パック６０だけでなく、他の箱型の包装容器を支持することも可能である。また、水切り用開口３０は、ペットボトル６２に限らずガラスや金属製（アルミ、スチール）のボトル型の包装容器を支持することができる。
本発明のキャビネットは、図１に示すような加熱調理器１６を備えていなくてもよい。
【符号の説明】
【００４５】
２      水切りカゴ
１０      キャビネット
１４      シンク
１８      キャビネット本体
１８ａ      カウンター（天板）
２２      底部
２４      周壁部
２６ａ      係合部
３０      水切り用開口
４６      上枠部材
５４      第１の壁部要素
５６      第２の壁部要素（支持部）
６０      紙パック（箱型の包装容器）
６２      ペットボトル（ボトル型の包装容器）
６４      開口
【図１】
2010201116.tif 000003
【図２】
2010201116.tif 000004
【図３】
2010201116.tif 000005
【図４】
2010201116.tif 000006
【図５】
2010201116.tif 000007
【図６】
2010201116.tif 000008
【図７】
2010201116.tif 000009
【図８】
2010201116.tif 000010